(57)【要約】【課題】被記録媒体の搬送に伴うローラー痕が付くことなどの搬送不具合を抑制する。【解決手段】被記録媒体Ｐにインクを吐出するヘッド部１２と、前記被記録媒体Ｐを搬送する搬送部９、１０と、を備え、搬送部９、１０は、被記録媒体Ｐの第１面１７と接触するように設けられて該被記録媒体Ｐに送り力を発生させる駆動ローラー５、６と、被記録媒体Ｐの第２面１６側から駆動ローラー５、６に風圧を与えることにより該被記録媒体Ｐを該駆動ローラー５、６に押し付ける送風部７、８と、を備える。【選択図】図１
2015063031.tif 000002
【特許請求の範囲】
【請求項１】
被記録媒体にインクを吐出するヘッド部と、
前記被記録媒体を搬送する搬送部と、を備え、
前記搬送部は、
前記被記録媒体の第１面と接触するように設けられて該被記録媒体に送り力を発生させる駆動ローラー部と、
前記被記録媒体の第２面側から前記駆動ローラーに風圧を与えることにより該被記録媒体を該駆動ローラーに押し付ける送風部と、を備えることを特徴とする記録装置。
【請求項２】
請求項１に記載の記録装置において、
前記搬送部は、前記被記録媒体の搬送方向において、前記ヘッド部の前記搬送方向上流側に設けられる第１搬送部と、前記ヘッド部の前記搬送方向下流側に設けられる第２搬送部と、を備えることを特徴とする記録装置。
【請求項３】
請求項２に記載の記録装置において、
前記搬送部のうち第１搬送部は、前記ヘッド部により記録が行われる前記被記録媒体をセットするセット部と前記ヘッド部との間に設けられ、
前記送風部はイオンを吹き出すファン、或いは、温風を吹き出すファンであることを特徴とする記録装置。
【請求項４】
請求項２から３のいずれか１項に記載の記録装置において、
前記搬送部のうち第２搬送部は、前記ヘッド部と前記ヘッド部により記録がなされた前記被記録媒体を回収する回収部との間に設けられ、
前記送風部は温風を吹き出すファンであることを特徴とする記録装置。
【請求項５】
請求項２から４のいずれか１項に記載の記録装置において、
前記被記録媒体にインクの滲みを抑制する前処理剤を付着させる前処理部を備え、
前記ヘッド部は、前記前処理剤が付着した前記被記録媒体に前記インクを吐出して記録し、
前記搬送部のうち第１搬送部は、前記ヘッド部により記録が行われる前記被記録媒体をセットするセット部と前記ヘッド部との間に設けられ、
前記前処理部は、前記セット部と前記第１搬送部との間、或いは、前記第１搬送部と前記ヘッド部との間に設けられることを特徴とする記録装置。
【請求項６】
請求項２から５のいずれか１項に記載の記録装置において、
前記ヘッド部により記録がなされた前記被記録媒体に後処理剤を付着させる後処理部、を備え、
前記搬送部のうち第２搬送部は、前記ヘッド部と前記ヘッド部により記録がなされた前記被記録媒体を回収する回収部との間に設けられ、
前記後処理部は、前記ヘッド部と前記第２搬送部との間、或いは、前記第２搬送部と前記回収部との間に設けられることを特徴とする記録装置。
【請求項７】
請求項６に記載の記録装置において、
前記後処理剤は、グロスオプティマイザーであることを特徴とする記録装置。
【請求項８】
請求項６に記載の記録装置において、
前記後処理剤は、液体ラミネート剤であることを特徴とする記録装置。
【請求項９】
請求項２から８のいずれか１項に記載の記録装置において、
前記送風部は、前記ヘッド部から離れる方向に送風することを特徴とする記録装置。
【請求項１０】
請求項１から９のいずれか１項に記載の記録装置において、
前記搬送部による搬送経路に設けられた前記被記録媒体の支持部と、
前記支持部に対する前記被記録媒体の浮きを検出するセンサーと、を備えることを特徴とする記録装置。
【請求項１１】
請求項１０に記載の記録装置において、
前記センサーが前記被記録媒体の浮きを検出した場合に前記送風部の風量を変更可能であることを特徴とする記録装置。
【請求項１２】
送風機を用いて被記録媒体を駆動ローラーに押し付け、該駆動ローラーを回転させることにより該被記録媒体を搬送することを特徴とする記録装置。
【発明の詳細な説明】
【技術分野】
【０００１】
本発明は、記録装置に関する。
【背景技術】
【０００２】
従来から、駆動ローラーを有する搬送部を用いて被記録媒体を搬送する記録装置が使用されている。例えば、特許文献１には、駆動ローラーを有し被記録媒体を挟持するローラー対で構成される搬送部を用いて被記録媒体を搬送する記録装置が開示されている。  
このように、従来の記録装置は、駆動ローラーを有し被記録媒体を挟持するローラー対で構成される搬送部を用いて被記録媒体を搬送するものが一般的である。特に、このようなローラー対のうち、被記録媒体の記録面側に従動ローラーが配置され、記録面側とは反対側に駆動ローラーが配置されるローラー対が一般的に使用されている。
【先行技術文献】
【特許文献】
【０００３】
【特許文献１】特開２００７−１５２７８５号公報
【発明の概要】
【発明が解決しようとする課題】
【０００４】
しかしながら、上記のような従来の記録装置では、被記録媒体をローラー対で挟持することにより、ローラー痕が被記録媒体に付くなど、搬送不具合が生じる場合があった。  
特に、被記録媒体の記録面側に従動ローラーの跡が付くことにより記録品質が低下する場合があった。
【０００５】
そこで、本発明の目的は、被記録媒体の搬送に伴うローラー痕が付くことなどの搬送不具合を抑制することである。
【課題を解決するための手段】
【０００６】
上記課題を解決するための本発明の第１の記録装置は、被記録媒体にインクを吐出するヘッド部と、前記被記録媒体を搬送する搬送部と、を備え、前記搬送部は、前記被記録媒体の第１面と接触するように設けられて該被記録媒体に送り力を発生させる駆動ローラーと、前記被記録媒体の第２面側から前記駆動ローラーに風圧を与えることにより該被記録媒体を該駆動ローラーに押し付ける送風部と、を備えることを特徴とする。
【０００７】
本態様によれば、前記搬送部は、前記被記録媒体の第２面側から前記駆動ローラーが設けられた位置に前記送風部から送風することで風圧により該被記録媒体を該駆動ローラーに押し付け、該駆動ローラーを回転させることにより該被記録媒体を搬送する。すなわち、ローラー対で被記録媒体を挟持することなく該被記録媒体を搬送することができる。このため、被記録媒体の搬送に伴うローラー痕の付着などの搬送不具合を抑制することができる。特に、前記第２面を前記被記録媒体の記録面とすることで、被記録媒体の記録面側に従動ローラーの跡が付くことを防止できる。
【０００８】
本発明の第２の態様の記録装置は、前記第１の態様において、前記搬送部は、前記被記録媒体の搬送方向において、前記ヘッド部の前記搬送方向上流側に設けられる第１搬送部と、前記ヘッド部の前記搬送方向下流側に設けられる第２搬送部と、を備えることを特徴とする。
【０００９】
本態様によれば、前記搬送部は、前記被記録媒体の搬送方向において前記ヘッド部を挟んで両側に設けられる。このため、前記被記録媒体の搬送方向において前記ヘッド部の両側で該被記録媒体を前記駆動ローラーに押し付けることができるので、ジャムなどの搬送不良をより効果的に抑制することができる。
【００１０】
本発明の第３の態様の記録装置は、前記第２の態様において、前記搬送部のうち第１搬送部は、前記ヘッド部により記録が行われる前記被記録媒体をセットするセット部と前記ヘッド部との間に設けられ、前記送風部はイオンを吹き出すファン、或いは、温風を吹き出すファンであることを特徴とする。
【００１１】
ここで、「セット部」とは、記録する被記録媒体をヘッド部に送り出すために該被記録媒体をセットするものである。例えば、ロール状の被記録媒体をセットするセット部や、単票状の被記録媒体をセットする給紙（給送）トレイ及び給紙（給送）カセットなどと呼ばれるものが該当する。  
本態様によれば、前記第１搬送部は、前記ヘッド部により記録が行われる前記被記録媒体をセットするセット部と前記ヘッド部との間に設けられ、前記送風部はイオンを吹き出すファン、或いは、温風を吹き出すファンである。すなわち、前記ヘッド部に対して前記被記録媒体の搬送方向上流側にイオンを吹き出すファン、或いは、温風を吹き出すファンが設けられる。このため、前記ヘッド部で記録する前に、前記イオンにより前記被記録媒体の静電気を除去することにより記録品質を向上することができる、或いは、前記温風により前記被記録媒体を加熱できる。したがって、該第１搬送部に前記被記録媒体の静電気除去部、或いは、加熱部の役割を兼ねさせることにより低コスト化することができる。
【００１２】
本発明の第４の態様の記録装置は、前記第２から第３のいずれか１つの態様において、前記搬送部のうち第２搬送部は、前記ヘッド部と前記ヘッド部により記録がなされた前記被記録媒体を回収する回収部との間に設けられ、前記送風部は温風を吹き出すファンであることを特徴とする。
【００１３】
ここで、「回収部」とは、記録がなされた被記録媒体を回収するために該被記録媒体を巻き取ったりスタックしたりするものである。例えば、ロール状の被記録媒体を巻き取る巻取部や、単票状の被記録媒体をスタックする排出用受部、排紙（排出）トレイ及び排紙（排出）カセットなどと呼ばれるものが該当する。  
本態様によれば、前記第２搬送部は、前記ヘッド部と前記ヘッド部により記録がなされた前記被記録媒体を回収する回収部との間に設けられ、前記送風部は温風を吹き出すファンである。すなわち、前記ヘッド部に対して前記被記録媒体の搬送方向下流側に温風を吹き出すファンが設けられる。このため、前記ヘッド部で記録した後に前記温風により前記被記録媒体に吐出されたインク中の揮発成分を揮発させることができる。したがって、該搬送部に前記インクの乾燥部の役割を兼ねさせることにより低コスト化することができる。
【００１４】
本発明の第５の態様の記録装置は、前記第２から第４のいずれか１つの態様において、前記被記録媒体にインクの滲みを抑制する前処理剤を付着させる前処理部を備え、前記ヘッド部は、前記前処理剤が付着した前記被記録媒体にインクを吐出して記録し、前記搬送部のうち第１搬送部は、前記ヘッド部により記録が行われる前記被記録媒体をセットするセット部と前記ヘッド部との間に設けられ、前記前処理部は、前記セット部と前記第１搬送部との間、或いは、前記第１搬送部と前記ヘッド部との間に設けられることを特徴とする。
【００１５】
本態様によれば、前記第１搬送部は、前記ヘッド部により記録が行われる前記被記録媒体をセットするセット部と前記ヘッド部との間に設けられ、前記前処理部は、前記セット部と前記第１搬送部との間、或いは、前記第１搬送部と前記ヘッド部との間に設けられる。すなわち、前記ヘッド部に対して前記被記録媒体の搬送方向上流側に前記第１搬送部と前記前処理部とが設けられ、前記前処理部は前記第１搬送部に対して前記被記録媒体の搬送方向上流側或いは下流側に設けられる。このため、前記前処理の内容に応じて、前記前処理部を前記第１搬送部に対して前記被記録媒体の搬送方向上流側或いは下流側に設けることができる。  
例えば、前記被記録媒体が布帛の場合であって前記記録装置を用いて捺染記録を行う場合は、前記前処理部を前記第１搬送部に対して前記被記録媒体の搬送方向上流側に設けることによって記録品質を向上することができる。
【００１６】
本発明の第６の態様の記録装置は、前記第２から第５のいずれか１つの態様において、前記ヘッド部により記録がなされた前記被記録媒体に後処理剤を付着させる後処理部と、を備え、前記搬送部のうち第２搬送部は、前記ヘッド部と前記ヘッド部により記録がなされた前記被記録媒体を回収する回収部との間に設けられ、前記後処理部は、前記ヘッド部と前記第２搬送部との間、或いは、前記第２搬送部と前記回収部との間に設けられることを特徴とする。
【００１７】
本態様によれば、前記第２搬送部は、前記ヘッド部と前記ヘッド部により記録がなされた前記被記録媒体を回収する回収部との間に設けられ、前記後処理部は、前記ヘッド部と前記第２搬送部との間、或いは、前記第２搬送部と前記回収部との間に設けられる。すなわち、前記ヘッド部に対して前記被記録媒体の搬送方向下流側に前記第２搬送部と前記後処理部とが設けられ、前記後処理部は前記第２搬送部に対して前記被記録媒体の搬送方向上流側或いは下流側に設けられる。このため、前記後処理の内容に応じて、前記後処理部を前記第２搬送部に対して前記被記録媒体の搬送方向上流側或いは下流側に設けることができる。前記後処理剤としては、前記被記録媒体の記録面の凹凸を平坦化する、記録面をオゾンや光、水から保護する、高い光沢を付与する等の目的に応じて種々用いることができる。
【００１８】
本発明の第７の態様の記録装置は、前記第６の態様において、前記後処理剤は、グロスオプティマイザーであることを特徴とする。
【００１９】
本態様によれば、前記後処理剤は、グロスオプティマイザーである。このため、前記後処理部を前記第２搬送部に対して前記被記録媒体の搬送方向上流側に設けることによって、前記インクが乾燥しきる前に前記後処理剤を付着させることができ、記録品質を向上することができる。
【００２０】
本発明の第８の態様の記録装置は、前記第６の態様において、前記後処理剤は、液体ラミネート剤であることを特徴とする。
【００２１】
本態様によれば、前記後処理剤は、液体ラミネート剤であるため、記録後の前記被記録媒体をラミネートすることができる。なお、液体ラミネート剤の種類に応じて、前記後処理部を前記第２搬送部に対して前記被記録媒体の搬送方向上流側或いは下流側に設けることができる。
【００２２】
本発明の第９の態様の記録装置は、前記第１から第８のいずれか１つの態様において、前記送風部は、前記ヘッド部から離れる方向に送風することを特徴とする。
【００２３】
本態様によれば、前記送風部は、前記ヘッド部から離れる方向に送風する。このため、前記送風部から送られる風が前記ヘッド部から吐出されるインクの方向を乱すということを抑制することができる。
【００２４】
本発明の第１０の態様の記録装置は、前記第１から第９のいずれか１つの態様において、前記搬送部による搬送経路に設けられた前記被記録媒体の支持部と、前記支持部に対する前記被記録媒体の浮きを検出するセンサーと、を備えることを特徴とする。
【００２５】
本態様によれば、前記支持部に対する前記被記録媒体の浮きを検出するセンサーを備える。このため、該センサーにより前記被記録媒体の浮きを検出することができる。
【００２６】
本発明の第１１の態様の記録装置は、前記第１０の態様において、前記センサーが前記被記録媒体の浮きを検出した場合に前記送風部の風量を変更可能であることを特徴とする。
【００２７】
本態様によれば、前記センサーが前記被記録媒体の浮きを検出した場合に前記送風部の風量を変更可能である。このため、前記センサーにより前記被記録媒体の浮きを検出した場合に前記送風部の風量を変更（弱く）して前記被記録媒体の前記駆動ローラーへの押し付けをリリースするという簡単な動作を行うことで該浮きを解消することが可能になる。
【００２８】
本発明の第１０の態様の記録装置は、送風部を用いて被記録媒体を駆動ローラーに押し付け、該駆動ローラーを回転させることにより該被記録媒体を搬送することを特徴とする。
【００２９】
本態様によれば、送風部を用いて被記録媒体を駆動ローラーに押し付け、該駆動ローラーを回転させることにより該被記録媒体を搬送する。すなわち、ローラー対で被記録媒体を挟持することなく該被記録媒体を搬送することができる。このため、被記録媒体の搬送に伴うローラー痕の付着などの搬送不具合を抑制することができる。
【図面の簡単な説明】
【００３０】
【図１】本発明の実施例１に係る記録装置を表す概略側面図。
【図２】本発明の実施例１に係る記録装置のブロック図。
【図３】本発明の実施例２に係る記録装置を表す概略側面図。
【図４】本発明の実施例３に係る記録装置を表す概略側面図。
【図５】本発明の一実施例に係る記録方法のフローチャート。
【発明を実施するための形態】
【００３１】
以下に、本発明の実施例に係る記録装置について、添付図面を参照して詳細に説明する。
【００３２】
［実施例１］（図１、図２）  
図１は、本発明の実施例１に係る記録装置１を表す概略側面図である。  
本実施例の記録装置１は、被記録媒体Ｐのセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。ここで、セット部１４の位置は被記録媒体Ｐをセットするセット位置３５に該当し、巻取部１５の位置は被記録媒体Ｐを回収する回収位置３６に該当する。なお、セット部１４は回転方向Ｃに回転して被記録媒体Ｐを送出し、巻取部１５は回転方向Ｃに回転して被記録媒体Ｐを巻き取る。
【００３３】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４は例えば所謂給紙（給送）トレイ及び給紙（給送）カセットなどと呼ばれるものであり、被記録媒体Ｐの回収位置３６は巻取部１５の位置であるが巻取部１５以外の回収部の例として例えば所謂排出用受部、排紙（排出）トレイ及び排紙（排出）カセットなどと呼ばれるものがある。
【００３４】
本実施例の記録装置１は、プラテン２とプラテン３の間に駆動ローラー５が設けられ、駆動ローラー５の上部には送風部であるファン７が設けられている。ファン７は駆動ローラー５に向かう方向Ｄに送風することが可能である。そして、その風圧により被記録媒体Ｐを駆動ローラー５に押し付けることができる。このような構成により、駆動ローラー５とファン７とで第１搬送部９を構成している。  
別の表現をすると、第１搬送部９は、被記録媒体Ｐの第１面１７（記録面と反対側の面）と接触する位置に設けられて該被記録媒体Ｐに送り力を発生させる駆動ローラー５と、被記録媒体Ｐの第２面１６（記録面）側から駆動ローラー５に風圧を与えることにより該被記録媒体Ｐを該駆動ローラー５に押し付ける送風機としてのファン７と、を備える。
【００３５】
また、本実施例の記録装置１は、プラテン３とプラテン４の間に駆動ローラー６が設けられ、駆動ローラー６の上部には送風部であるファン８が設けられている。ファン８は駆動ローラー６に向かう方向Ｅに送風することが可能である。そして、その風圧により被記録媒体Ｐを駆動ローラー６に押し付けることができる。このような構成により、駆動ローラー６とファン８とで第２搬送部１０を構成している。  
別の表現をすると、第２搬送部１０は、被記録媒体Ｐの第１面１７と接触する位置に設けられて該被記録媒体Ｐに送り力を作用する駆動ローラー６と、被記録媒体Ｐの第２面１６側から駆動ローラー６に向けて送風することで風圧により該被記録媒体Ｐを該駆動ローラー６に押し付ける送風部としてのファン８と、を備える。
【００３６】
このように、本実施例の第１搬送部９及び第２搬送部１０は、ローラー対で被記録媒体Ｐを挟持することなく該被記録媒体Ｐを搬送することができる。このため、被記録媒体Ｐの搬送に伴うローラー痕の付着などの搬送不具合を抑制している。特に、被記録媒体Ｐの記録面側に従動ローラーの跡が付くことを防止できる構成になっている。
【００３７】
また、本実施例の記録装置１は、プラテン３と対向する側にヘッド部としての記録ヘッド１２が備えられている。記録装置１は、キャリッジ１１を介して搬送方向Ａと交差する方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを搬送方向Ａと交差する方向に複数設けた所謂ラインヘッドを備える記録装置でもよい。  
ここで、「ラインヘッド」とは、被記録媒体Ｐの搬送方向Ａと交差する交差方向に形成されたノズルの領域が、前記被記録媒体Ｐの前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。
【００３８】
また、キャリッジ１１には、プラテン３に対する被記録媒体Ｐの浮きを検出するセンサー１３が備えられている。このため、該センサー１３により被記録媒体Ｐの浮きを検出することができる。被記録媒体Ｐの浮きを検出することで、被記録媒体Ｐと記録ヘッド１２との干渉や、該浮き部分の記録画像の品質の低下等を抑制できる。なお、本実施例の記録装置１はセンサー１３をキャリッジ１１に備えているが、別の場所に備えられていてもよい。また、該センサー１３を備えていない構成も本発明に含まれる。
【００３９】
ここで、本実施例の記録装置１は、センサー１３が被記録媒体Ｐの浮きを検出した場合にファン７及びファン８の風量を変更可能である。このような構成により、センサー１３が被記録媒体Ｐの浮きを検出した場合にファン７及びファン８の風量を変更（弱く）して被記録媒体Ｐの駆動ローラー５及び駆動ローラー６への押し付けをリリースすることができる。そしてこのような簡単な動作を行うことで該浮きを解消することが可能な構成になっている。
【００４０】
上記のように、本実施例の記録装置１は、被記録媒体Ｐにインクを吐出して記録する記録ヘッド１２を備え、搬送部（第１搬送部９及び第２搬送部１０）が、搬送方向Ａにおいて記録ヘッド１２を挟んで両側に（搬送方向Ａの上流側に第１搬送部９が、搬送方向Ａの下流側に第２搬送部１０が）設けられる。このため、搬送方向Ａにおいて記録ヘッド１２の両側で該被記録媒体Ｐを駆動ローラーに（搬送方向Ａの上流側で駆動ローラー５に、搬送方向Ａの下流側で駆動ローラー６に）押し付けることができるので、ジャムなどの搬送不良を効果的に抑制している。ただし、搬送方向Ａにおいて記録ヘッド１２の一方の側のみに搬送部が設けられる構成も本発明に含まれる。
【００４１】
上記の説明のように、本実施例の第１搬送部９は、記録ヘッド１２により記録を行う被記録媒体Ｐをセットするセット位置３５（セット部１４の位置）と記録ヘッド１２との間に設けられている。  
ここで、第１搬送部９のファン７は、イオンを吹き出すファンである。別の表現をすると、本実施例の記録装置１は、記録ヘッド１２に対して被記録媒体Ｐの搬送方向上流側にイオンを吹き出すファンが設けられている。このため、記録ヘッド１２で記録する前に前記イオンにより被記録媒体Ｐの静電気を除去することにより記録品質を向上することができる。したがって、該第１搬送部９に被記録媒体Ｐの静電気除去部の役割を兼ねさせることにより低コスト化することができる。なお、イオンを吹き出すファンの具体的な実施例は、本実施例でも使用されているものであるが、イオン発生器とファンとが一体となったイオナイザーが挙げられる。ただし、イオナイザーに限定されない。また、イオンを吹き出すファン以外のファンを有する構成も本発明に含まれる。  
なお、本実施例の第１搬送部９のファン７は、イオンを吹き出すファンであるが、温風を吹き出すファンとしてもよい。このような構成であれば、該第１搬送部９に被記録媒体Ｐの加熱部の役割を兼ねさせることができ、別途加熱部を備える必要がなくなるため低コスト化することができる。
【００４２】
上記の説明のように、本実施例の第２搬送部１０は、記録ヘッド１２と記録ヘッド１２により記録がなされた被記録媒体Ｐを回収する回収位置３６（巻取部１５の位置）との間に設けられている。  
ここで、第２搬送部１０のファン８は、温風を吹き出すファンである。別の表現をすると、本実施例の記録装置１は、記録ヘッド１２に対して被記録媒体Ｐの搬送方向下流側に温風を吹き出すファンが設けられている。このため、記録ヘッド１２で記録した後に前記温風により被記録媒体Ｐに吐出されたインク中の揮発成分を揮発させることができる。したがって、該第２搬送部１０に前記インクの乾燥部の役割を兼ねさせることにより低コスト化することができる。なお、温風を吹き出すファンの具体的な実施例は、本実施例でも使用されているものであるが、発熱体を内部に有するファンが挙げられる。ただし、このようなファンに限定されない。また、温風を吹き出すファン以外のファンを有する構成も本発明に含まれる。
【００４３】
また、図１で表されるように、第１搬送部９のファン７及び第２搬送部１０のファン８は、記録ヘッド１２から離れる方向に送風する。具体的には、ファン７は搬送方向Ａの上流側に向けて方向Ｄに送風し、ファン８は搬送方向Ａの下流側に向けて方向Ｅに送風している。このため、ファン７及びファン８から送られる風が記録ヘッド１２から吐出されるインクの方向を乱すということを抑制している。なお、本実施例ではファン７及びファン８は、記録ヘッドがある方向と逆の方向に風が流れるように送風しているが、記録ヘッドがある方向と交差する方向に風が流れるように送風してもよい。ただし、ファン７及びファン８の少なくとも一方の送風方向が記録ヘッド１２に向かう方向である構成も本発明に含まれる。
【００４４】
次に、本実施例の記録装置１における電気的な構成について説明する。  
図２は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００４５】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、セット部１４の駆動源である送出モーター２６、駆動ローラー５の駆動源である搬送モーター２７、駆動ローラー６の駆動源である搬送モーター２８、巻取部１５の駆動源である巻取モーター２９、を駆動させるためのモーター駆動部２４と接続されている。  
また、ＣＰＵ１９は、システムバス２０を介して、ファン７及びファン８を駆動するためのファン駆動部３０と接続されている。  
さらに、ＣＰＵ１９は、システムバス２０を介して、入出力部３１と接続されており、入出力部３１は、センサー１３、記録データ等を記録装置１に入力する外部装置であるＰＣ３２、と接続されている。
【００４６】
［実施例２］（図３）  
次に、実施例２の記録装置について、添付図面を参照して詳細に説明する。  
図３は、本実施例の記録装置１の概略側面図を表している。なお、上記実施例と共通する構成部材は同じ符号で示しており、詳細な説明は省略する。  
なお、本実施例の記録装置１は、前処理部３３を有する以外は実施例１の記録装置１と同様の構成である。
【００４７】
本実施例の記録装置１は、被記録媒体として布帛を使用して捺染記録が可能であり、搬送方向Ａにおいてセット部１４とファン７との間にインクの滲みを抑制する前処理剤を塗布可能な前処理部３３を備えている。このため、ファン７は、前処理部３３で塗布された前処理剤を乾燥させる乾燥部としての役割も有している。本実施例で使用する前処理剤は、乾燥させた状態でインクを記録することを前提としているため、このような構成をしている。ただし、このような構成に限定されず、乾燥する前の状態でインクを記録することを前提とする前処理剤を使用する場合等、前処理剤の種類等によって、搬送方向Ａにおいてファン７と記録ヘッド１２との間に前処理部３３を設ける構成としてもよい。また、被記録媒体として布帛以外のものに記録する記録装置であってもよい。
【００４８】
これを別の表現をすると、本実施例の記録装置１は、被記録媒体Ｐにインクの滲みを抑制する前処理剤を付着させる前処理部３３を備え、記録ヘッド１２は、前処理剤３３が付着した被記録媒体Ｐにインクを吐出して記録し、第１搬送部９は、記録ヘッド１２により記録を行う被記録媒体Ｐをセットするセット位置３５と記録ヘッド１２との間に設けられ、前処理部３３は、セット位置３５と第１搬送部９との間、或いは、第１搬送部９と記録ヘッド１２との間に設けられる。  
すなわち、記録ヘッド１２に対して被記録媒体Ｐの搬送方向上流側に第１搬送部９と前処理部３３とが設けられ、前処理部３３は第１搬送部９に対して前記被記録媒体の搬送方向上流側或いは下流側に設けられる。  
このため、前処理の内容に応じて、前処理部３３を第１搬送部９に対して被記録媒体Ｐの搬送方向上流側或いは下流側に設けることができる。  
本実施例の記録装置１は、被記録媒体として布帛を使用して捺染記録が可能であり、前処理部３３を第１搬送部９に対して被記録媒体Ｐの搬送方向上流側に設けることによって記録品質を向上する構成になっている。
【００４９】
［実施例３］（図４）  
次に、実施例３の記録装置について、添付図面を参照して詳細に説明する。  
図４は、本実施例の記録装置１の概略側面図を表している。なお、上記実施例と共通する構成部材は同じ符号で示しており、詳細な説明は省略する。  
なお、本実施例の記録装置１は、後処理部３４を有する以外は実施例１の記録装置１と同様の構成である。
【００５０】
本実施例の記録装置１は、搬送方向Ａにおいてファン８と巻取部１５との間に液体ラミネート剤である後処理剤を塗布可能な後処理部３４を備えている。このため、ファン８は、インクの乾燥部としての役割を兼ねているだけでなく、後処理部３４で塗布された後処理剤を乾燥させる乾燥部としての役割も有している。本実施例で使用する後処理剤は、インクが乾燥した状態になってから塗布されることを前提としているため、このような構成をしている。ただし、このような構成に限定されず、インクが乾燥する前の状態で塗布することを前提とする後処理剤を使用する場合等、後処理剤の種類等によって、搬送方向Ａにおいて記録ヘッド１２とファン８との間に後処理部３４を設ける構成としてもよい。
【００５１】
これを別の表現をすると、本実施例の記録装置１は、被記録媒体Ｐにインクを吐出して記録する記録ヘッド１２と、記録ヘッド１２により記録がなされた被記録媒体Ｐに後処理剤を付着させる後処理部３４と、を備え、第２搬送部１０は、記録ヘッド１２と記録ヘッド１２により記録がなされた被記録媒体Ｐを回収する回収位置３６（巻取部１５の位置）との間に設けられ、後処理部３４は、記録ヘッド１２と第２搬送部１０との間、或いは、第２搬送部１０と回収位置３６との間に設けられる。  
すなわち、記録ヘッド１２に対して被記録媒体Ｐの搬送方向下流側に第２搬送部１０と後処理部３４とが設けられ、後処理部３４は第２搬送部１０に対して被記録媒体Ｐの搬送方向上流側或いは下流側に設けられる。  
このため、後処理の内容に応じて、後処理部３４を第２搬送部１０に対して被記録媒体Ｐの搬送方向上流側或いは下流側に設けることができる。前記後処理剤としては、前記被記録媒体の記録面の凹凸を平坦化する、記録面をオゾンや光、水から保護する、高い光沢を付与する等の目的に応じて種々用いることができる。  
例えば、後処理剤としてグロスオプティマイザーを記録する後処理を行う場合は、後処理部３４を第２搬送部１０に対して被記録媒体の搬送方向上流側に設けることによって、インクが乾燥しきる前に後処理剤を付着させることができ、記録品質を向上することができる。  
また、本実施例の記録装置１のように後処理剤として液体ラミネート剤を付着させる後処理を行う場合は、記録後の被記録媒体Ｐをラミネートすることができる。また、液体ラミネート剤の種類に応じて、後処理部３４を第２搬送部１０に対して被記録媒体Ｐの搬送方向上流側或いは下流側に設けることができる。
【００５２】
［記録方法の実施例］（図５）  
次に、実施例１の記録装置１を用いた記録方法の実施例について説明する。詳細には、被記録媒体Ｐの浮きを検出し、該浮きを解消するまでのフローを含む記録方法を説明する。  
図５は、本実施例の記録方法のフローチャートである。
【００５３】
最初に、ステップＳ１０で、ユーザーは被記録媒体Ｐを記録装置１にセットする。具体的には、本実施例では、ユーザーは、セット部１４にロール状の被記録媒体Ｐを取り付け、搬送方向Ａに被記録媒体Ｐを送出してからファン７及びファン８から送風させることにより被記録媒体Ｐを記録装置１にセットする。なお、この際、ファン７のイオン発生器及びファン８の発熱体は、まだ電源がＯＦＦの状態であってもよい。
【００５４】
次に、ステップＳ２０で、ＰＣ３２から記録装置１に記録データを入力する。  
なお、ステップＳ１０においてファン７のイオン発生器の電源がＯＦＦであった場合は本ステップでファン７のイオン発生器の電源をＯＮにする。
【００５５】
次に、ステップＳ３０で、前記記録データに基づく記録を実行する。この記録においては、記録ヘッド１２を往復移動させて記録を行う。  
なお、ステップＳ１０においてファン８の発熱体の電源がＯＦＦであった場合は本ステップでファン８の発熱体の電源をＯＮにする。  
この記録に伴い、記録ヘッド１２の往復移動における１回の記録走査毎に、ステップＳ４０で、センサー１３により被記録媒体Ｐの浮きの検出を行う。
【００５６】
ステップＳ４０でセンサー１３により被記録媒体Ｐの浮きが検出された場合、ステップＳ５０に進み、ファン７及びファン８の風量を調整する。なお、この風量の調整の制御は、制御部１８により行われ、本実施例では、被記録媒体Ｐの浮きが検出された場合、ファン７及びファン８の駆動を止める。こうして、被記録媒体Ｐをプラテン３に風圧により押し付けることからリリースすることにより、被記録媒体Ｐの浮きを解消させる。そして、ステップＳ４０に戻り、再度、被記録媒体Ｐの浮きの検出（被記録媒体Ｐの浮きが解消されたことの確認）を行う。
【００５７】
なお、本実施例では被記録媒体Ｐの浮きが検出された場合、ファン７及びファン８の両方の駆動を止めるが、いずれか一方の駆動を止める構成でもよく、また、駆動を止めるのではなく風量を弱くする構成であってもよい。  
特に、ファン７の駆動を止めずにファン８の駆動を止めることにより被記録媒体Ｐの浮きを解消させる構成とすれば、被記録媒体Ｐの浮きを解消する際の被記録媒体Ｐの位置ずれを抑制できるので好ましい。なお、このような構成のうち、ファン８から送風される風の風向きが垂直方向の構成は、被記録媒体Ｐの浮きを解消する際の被記録媒体Ｐの位置ずれを特に抑制できるのでさらに好ましい。
【００５８】
ステップＳ４０でセンサー１３により被記録媒体Ｐの浮きが検出されなかった場合、ステップＳ６０に進み、ステップＳ２０で入力した記録データの記録がすべて行われ、記録が終了したか否かを制御部１１において判断する。  
そして、ステップＳ６０で、記録が終了したと判断されなかった場合は、ステップＳ３０に戻る。なお、ステップＳ３０からステップＳ６０までのフローは、記録ヘッド１２の往復移動における１回の記録走査毎に、ステップＳ２０で入力した記録データの記録がすべて行われ、記録が終了したと判断されるまで行われる。そして、記録が終了したと判断された場合は、本実施例の記録方法を終了する。
【００５９】
上記の説明をまとめると、実施例１から３の記録装置１は、送風部（ファン７及びファン８）を用いて被記録媒体Ｐを駆動ローラー５、６に押し付け、該駆動ローラー５、６を回転させることにより該被記録媒体Ｐを搬送することを特徴とする。  
このような構成により、ローラー対で被記録媒体Ｐを挟持することなく該被記録媒体Ｐを搬送することができる。このため、被記録媒体Ｐの搬送に伴うローラー痕の付着などの搬送不具合を抑制することができる。
【符号の説明】
【００６０】
１  記録装置、２  プラテン、３  プラテン、４  プラテン、５  駆動ローラー、
６  駆動ローラー、７  ファン（送風部）、８  ファン（送風部）、９  第１搬送部、
１０  第２搬送部、１１  キャリッジ、１２  記録ヘッド、１３  センサー、
１４  セット部、１５  巻取部、１６  被記録媒体Ｐの第２面、
１７  被記録媒体Ｐの第１面、１８  制御部、１９  ＣＰＵ、２０  システムバス、
２１  ＲＯＭ、２２  ＲＡＭ、２３  ヘッド駆動部、２４  モーター駆動部、
２５  キャリッジモーター、２６  送出モーター、２７  搬送モーター、
２８  搬送モーター、２９  巻取モーター、３０  ファン駆動部、３１  入出力部、
３２  ＰＣ、３３  前処理部、３４  後処理部、３５  セット位置、３６  回収位置、
Ｐ  被記録媒体
【図１】
2015063031.tif 000003
【図２】
2015063031.tif 000004
【図３】
2015063031.tif 000005
【図４】
2015063031.tif 000006
【図５】
2015063031.tif 000007